(57)【要約】【課題】  感光体ドラム等のＬＥＤヘッドの近傍に配設される消耗部材・部品を装置本体から取り外す際に、ＬＥＤヘッドをそれ等の部材から離間した位置に移動させておくことにより、取り外す部材から飛散するトナーが、ＬＥＤヘッドに付着することを防止する。【解決手段】  感光体ドラム１１を取り外すために、サイドドア２４を開く動作に連動させて、ＬＥＤヘッド１５を感光体ドラム１１の表面から離間させるようにし、飛散したトナーによりＬＥＤヘッド１５の光照射面が汚れることを防止する。また、前記サイドドア２４を開いて、転写ローラ１４がＬＥＤヘッド１５に圧接される状態を解除しなければ、感光体ドラム１１を取り外すことができないように構成しているので、感光体ドラム１１の表面を擦って傷めることがなくなる。【選択図】          図８
2006018128.tif 000002
【特許請求の範囲】
【請求項１】
一様に帯電された感光体ドラムの表面に、画像の光を照射して静電潜像を形成するためにＬＥＤヘッドを用い、前記静電潜像をトナーで現像したトナー画像を用紙に転写するための転写手段を感光体ドラムに圧接してなる画像形成装置であって、
前記画像形成装置の装置本体の側面に開閉自在に取付けられ、前記転写手段を支持するためのサイドドアと、
前記サイドドアを開閉する動作に連動させて、前記ＬＥＤヘッドの前記感光体ドラムに対する間隔をさせる連動手段と、を設けたことを特徴とする画像形成装置。
【請求項２】
前記サイドドアを開く動作に連動して前記ＬＥＤヘッドを感光体ドラムから離間させ、サイドドアを閉じる動作に連動して、前記ＬＥＤヘッドを感光体ドラムに近接させることを特徴とする請求項１に記載の画像形成装置。
【請求項３】
前記感光体ドラムは、その軸方向に沿って装置本体から取り外し可能に構成されるものであって、前記サイドドアを開いて、前記転写手段と感光体ドラムとの圧接状態が解除された状態においてのみ、前記感光体ドラムを装置本体から取り外しできることを特徴とする請求項１または２に記載の画像形成装置。
【請求項４】
前記サイドドアを開閉する動作と、ＬＥＤヘッドを感光体ドラムに対して近接および離間させる動作を連動させる手段はワイヤであることを特徴とする請求項１ないし３のいずれかに記載の画像形成装置。
【発明の詳細な説明】
【技術分野】
【０００１】
本発明は、一様に帯電された感光体ドラムに静電潜像を形成するために、書込み手段として発光ダイオード（ＬＥＤ）ヘッドを用い、前記静電潜像をトナーで現像したトナー画像を用紙に転写するための転写手段を感光体ドラムに圧接してなる画像形成装置に関し、特に、装置本体の転写手段を支持するサイドドアを開く動作に連動させて、ＬＥＤヘッドを感光体ドラムから離間させるようにした画像形成装置に関する。
【背景技術】
【０００２】
画像形成装置において、感光体ドラムに画像情報を書き込みするために、書込み装置としてレーザ光を用いた装置を用いる他に、発光ダイオード（ＬＥＤ）を用いた装置を用いることも一般的に行われている。このＬＥＤを用いた書込み装置においては、ＬＥＤ素子にレンズ集合体（セルフォックレンズ）とを組み合わせており、感光体ドラムの表面に対して点状に光を照射するように設けている。そして、画像形成装置の画像情報出力回路からＬＥＤ素子の各々に画像情報が伝達され、一様に帯電された感光体ドラムに対して、点状に画像の光が照射されて静電潜像が形成される。この静電潜像に対して、現像ローラからトナーが供給されることにより、静電潜像がトナー画像として可視像化され、用紙に対する転写位置では、用紙の裏面からトナーと逆極性の電圧が印加されることにより、前記感光体ドラムに担持されているトナー画像が用紙に転写される。前記トナー画像を担持した用紙を、定着装置を通して定着することで、記録紙として排出トレイに向けて排出される（例えば、特許文献１を参照）。
【特許文献１】特開２００３−２５５８０５号公報
【発明の開示】
【発明が解決しようとする課題】
【０００３】
前述したようなＬＥＤヘッドを用いた画像形成装置においては、ＬＥＤ素子から照射される光の焦点距離が短いために、ＬＥＤヘッドの光照射面を感光体ドラム表面に近接させて配置しなければならず、また、感光体ドラム上の静電潜像を現像するために、現像装置の現像ローラを感光体ドラムに近接または接触させなければならない。ところが、前記感光体ドラムおよび現像装置は消耗品であり、これらの部材の本来の作用が正常に行われないときには、これ等の部材を装置本体から取り外して、正常なものと交換されることが必要とされる。しかしながら、前記感光体ドラムおよび現像装置は、ＬＥＤヘッドに近接して配置されているため、これらの部材を装置本体から取り外す際に、感光体ドラム表面や現像ローラの表面に付着しているトナーが遊離し、ＬＥＤヘッドの光照射面に付着するおそれがあった。
【０００４】
本発明は、感光体ドラムや現像装置等のＬＥＤヘッドの近傍に配置される消耗部品を装置本体から取り外す際に、ＬＥＤヘッドをこれ等の部材から離間させた位置に移動させておくことによって、これらの消耗部品の取り外し処理時に、ＬＥＤヘッドか汚染されることを防止する画像形成装置を提供することを目的とする。
【課題を解決するための手段】
【０００５】
本発明は、一様に帯電された感光体ドラムの表面に、画像の光を照射して静電潜像を形成するためにＬＥＤヘッドを用い、前記静電潜像をトナーで現像したトナー画像を用紙に転写するための転写手段を感光体ドラムに圧接してなる画像形成装置に関する。
請求項１の発明は、前記画像形成装置の装置本体の側面に開閉自在に取付けられ、前記転写手段を支持するためのサイドドアと、
前記サイドドアを開閉する動作に連動させて、前記ＬＥＤヘッドの前記感光体ドラムに対する間隔をさせる連動手段と、を設けたことを特徴とする。
【０００６】
請求項２の発明は、前記サイドドアを開く動作に連動して前記ＬＥＤヘッドを感光体ドラムから離間させ、サイドドアを閉じる動作に連動して、前記ＬＥＤヘッドを感光体ドラムに近接させることを特徴とする。
【０００７】
請求項３の発明は、前記感光体ドラムは、その軸方向に沿って装置本体から取り外し可能に構成されるものであって、前記サイドドアを開いて、前記転写手段と感光体ドラムとの圧接状態が解除された状態においてのみ、前記感光体ドラムを装置本体から取り外しできることを特徴とする。
【０００８】
請求項４の発明は、前記サイドドアを開閉する動作と、ＬＥＤヘッドを感光体ドラムに対して近接および離間させる動作を連動させる手段はワイヤであることを特徴とする。
【発明の効果】
【０００９】
本発明が適用される画像形成装置においては、感光体ドラムに対して導電性のローラのような転写手段が圧接されており、この圧接部を用紙が通過する際に、転写手段に対してトナーと逆極性の電圧を与えることで、感光体ドラム上のトナー画像を用紙に転写するように構成されている。このような接触転写方式の画像形成装置において、感光体ドラムをその軸方向に抜き差しするようにして、感光体ドラムを装置本体から離脱させるよう構成している場合、転写手段が感光体ドラムを取り外すときの負荷となって感光体ドラムの表面が傷むことがある。これに対して、転写手段を支持しているサイドドアを開いて、両者の圧接状態を解除してからでないと、感光体ドラムを取り外すことができないようにしている。
【００１０】
また、感光体ドラムを装置本体から取り外す際に、感光体ドラムの表面に付着しているトナーが舞い散ることがあるが、本発明の画像形成装置によれば、感光体ドラムを取り外すためのサイドドアを開く動作に連動して、ＬＥＤヘッドか感光体ドラム表面から離間しているため、前記飛散するトナーによってＬＥＤヘッドの光照射面が汚されることが防がれる。さらに、感光体ドラムを装置本体から取り外す際に、必ず開かなくてはならないサイドドアの開動作に連動させて、ＬＥＤヘッドを離間させる連動機構を設けているので、ユーザーにＬＥＤヘッドを離間させるための操作を負担させることもない。
【発明を実施するための最良の形態】
【００１１】
以下に説明する画像形成装置は、電子写真方式を用いて用紙に画像を記録する画像形成装置を対象としている。また、単一の機能のみを有するプリンタ、複写機の他に、ファクシミリやプリンタの機能を複写機に複合した複合機を対象とすることができる。以下の実施例として説明する画像形成装置においては、一様に帯電された感光体ドラムの表面に画像の書き込みを行うために、ＬＥＤヘッドを用いている。
【実施例】
【００１２】
図示される例にしたがって、本発明の実施の一形態の画像形成装置の概略構成を説明する。図１に示す画像形成装置１は、プリンタ機能を有する小型の装置であり、この画像形成装置１に画像読取装置を接続することによって、複写機としての機能を持たせることができる。また、ＦＡＸモデムを装備することにより、ファクシミリ装置としての機能を持たせることもできる。前記画像形成装置１においては、装置本体の下部の給紙部と、上部に設けている排出トレイ１９との間に、略垂直方向に延びる用紙搬送路４が設けられている。前記給紙部には、給紙トレイ２が装着され、給紙トレイ２上の用紙束から、給紙ローラ３によって１枚ずつ用紙が分離され、用紙が用紙搬送路４に送り出される。前記送り出された用紙は、レジストローラ装置５に一時的に保持されて停止され、感光体ドラム１１に形成されたトナー画像にタイミングを合わせて、再び送り出される。
【００１３】
前記レジストローラ装置５の用紙搬送方向の下流部（図１の上側）には、記録部１０が設けられており、前記記録部１０には、感光体ドラム１１、クリーニング装置１２、帯電部材１３および転写ローラ１４が、それぞれの配置関係にしたがって設けられている。さらに、前記感光体ドラム１１に画像情報の書き込みを行うために、ＬＥＤヘッド１５が感光体ドラム１１に近接して設けられている。前記ＬＥＤヘッド１５は、複数個の発光素子（ＬＥＤ）の発光面側にセルフォックレンズを貼り合わせたもので、少なくとも画像形成時（書き込みを行う状態）には、その発光面が感光体ドラム１１の表面に、８〜１０ｍｍ程度まで近接した位置に位置決めされる。また、ＬＥＤヘッド１５よりも感光体ドラム１１の回転方向の下流部には、トナーを供給するための現像ローラ８が配置されている。
【００１４】
前述したように構成してなる記録部１０においては、感光体ドラム１１に対して帯電部材１３が放電することで、感光体ドラム１１の表面が一様に帯電され、書き込み部材としてのＬＥＤヘッド１５から出力される光信号によって、感光体ドラム１１の感光層に静電潜像が形成される。この静電潜像に対して、現像ローラ８からトナーを供給し、そのトナーが静電潜像に付着されることによって、トナー画像として可視像化される。前記感光体ドラム１１上のトナー画像の先端部が、転写ローラ１４とのニップ位置に達するタイミングに合わせて、レジストローラ装置５が駆動されて、用紙が画像転写位置に送られる。そして、前記感光体ドラム１１と転写ローラ１４の間で用紙をニップした状態で、用紙が搬送されながら、用紙の裏面側に転写ローラ１４により転写電圧が印加されることにより、トナー画像が用紙に転写される。そして、前記トナー画像を担持した用紙は、定着装置１６に向けて送り出される。
【００１５】
前記現像ローラ８を備える現像器７は、図示されているように、装置本体の現像器７を装着するスペースが上下方向に狭いものとして構成されているものであることから、上下方向に薄くて、左右方向に巾の広いトナー収容ケーシングを有している。前記ケーシングは、図示されるように、左右方向に連通される複数の室を持つように構成されており、前記トナー収容室の各々の内部には、回転軸が平行になるように配置され、各回転軸にはトナーを攪拌しながら送り出すためのパドル９を各々設けて、前記パドルによりトナーを現像ローラに向けて送るようにする。そして、前記現像ローラ８に向けて送られるトナーが、現像ローラ８に薄層状態で担持され、感光体ドラム１１とのニップ部で、前記トナーを静電潜像に転移させることによって、可視像化されたトナー画像が感光体ドラム１１の表面に形成されることになる。
【００１６】
前記記録部１０に続いて配置される定着装置１６では、トナー画像を担持した用紙に対して加熱と加圧作用とを付与し、熱で溶融させたトナーを用紙に押圧して定着する。そして、前記定着装置１６を通過してトナー画像が定着された用紙は、排出路１７を通って排出ローラ装置１８により、排出トレイ１９上に記録紙（コピー）として排出する。なお、本実施例の画像形成装置１は、表面に画像が記録された用紙を、その表裏を反転させて記録部１０に戻してから、用紙の裏面にも画像を記録して、両面記録が可能な装置として構成されている。
【００１７】
前記画像形成装置１においては、両面に画像を記録可能に構成するために、前記排出路１７の端部に配置している排出ローラ装置１８を、正逆方向に回転可能な装置として構成している。前記定着装置１６から排出ローラ装置１８に至る排出路１７には、切換ゲート２１を設けた分岐部を介して、戻し路２０に連結している。前記定着装置１６を出た表面記録済みの用紙（片面コピー）は、その紙自身の腰の強さにより切換ゲート２１を押し上げながら排出路１７に移動し、正回転している排出ローラ装置１８によって排出トレイ１９上に排出されることになる。これに対して、用紙の裏面にも画像を形成する場合には、用紙の後端部が排出ローラ装置１８にまだニップされている状態で、前記排出ローラ装置１８を逆回転させ、排出路１７内の用紙を逆方向に戻すようにする。
【００１８】
前記排出路１７を戻される用紙は、分岐部の切換ゲート２１の上面に案内されながら戻し路２０内に入り、前記戻し路２０内に配設された搬送ローラ装置２２、２２ａにより、用紙は再び記録部１０に向けて送られる。このときに、用紙の裏面が感光体ドラム１１の表面に臨んでおり、用紙の表面に記録する時と同様に、記録部１０で用紙の裏面に画像が記録されることになる。なお、本実施例の画像形成装置１においては、給紙トレイ２５を別に配設しており、前記給紙トレイ３５に対応させて設けた給紙ローラ２６によって送り込むことで、記録部１０に向けて給紙することも可能としている。
【００１９】
前記感光体ドラム１１および現像器７は、いずれも消耗品であり、感光体ドラム１１が使用により劣化したり、現像器７のケーシング内のトナーが不足して、その本来の機能を発揮できなくなった時には、画像形成装置のオペレータによって交換される。これらの消耗品１１および７は、装置本体のフロント側に取付けたフロントカバー６０（図１０を参照）が開かれた状態で、装置のフロント側に引き抜かれて、装置本体から取り外され、装置本体の奥の側に押し込まれて、その押し込まれた位置に保持されるように構成されている。
【００２０】
さらに、前記感光体ドラム１１に圧接している転写ローラ１４は、用紙搬送路４および戻し路２０を画定する中間ガイド体２３に保持されており、前記中間ガイド体２３は、装置本体の側部にヒンジ２４ａを介して回転可能に支持されたサイドドア２４に保持されている。そして、前記中間ガイド体２３とサイドドア２４とを、ヒンジ２４ａを介して開くことで、用紙搬送路４が開放され、用紙搬送路４のジャム紙を取り除くことができ、さらに、中間ガイド体２３をサイドドア２４に対して開くことで戻し路２０が開放され、前記戻し路２０内のジャム紙を取り除くことができる。
【００２１】
前記サイドドア２４を閉じた状態では、感光体ドラム１１に対して転写ローラ１４が圧接され、サイドドア２４を開いた状態では、感光体ドラム１１から転写ローラ１４が離間される。本実施形態の画像形成装置１においては、前記感光体ドラム１に対して転写ローラ１４が圧接された状態で、前記感光体ドラム１１を引き抜く動作を行うと、感光体ドラムの表面が傷付いたり、転写ローラ１４が磨耗したりする等の問題が発生することが想定される。そこで、前記問題の発生を回避するために、サイドドア２４を開く動作に連動させて、感光体ドラム１１に対する転写ローラ１４の圧接を解除しなければ、感光体ドラム１１を引き抜くことができないように構成されているのである。具体的には、装置本体のフロント側のフレームに、サイドドア２４を閉じた状態では感光体ドラム１１の正面に位置し、開いた状態では感光体ドラム１１の正面から外れた位置に、ストッパ部材（図示を省略）を設けて、対処させること等の手段を用いることができる。
【００２２】
そして、本発明においては、前記感光体ドラム１１または現像器７を装置本体から取り外す際に、前記感光体ドラム１１や現像ローラ８に付着しているトナーが舞い散り、ＬＥＤヘッド１５のレンズ面を汚染するという問題を、以下に説明するようにして解決しようとしているものである。このために、前記消耗部品１１、７が装置本体から取り外される際には、ＬＥＤヘッド１５をこれらの消耗品１１、７から離間させておくのである。さらに、詳しくは、感光体ドラム１１を引き抜く際には、必ず開かなくてはならないサイドドア２４の開き動作に連動させて、ＬＥＤヘッド１５を感光体ドラム１１の表面から離間させることを特徴とするものである。
【００２３】
前記ＬＥＤヘッド１５は、図２〜５に示すような構成を有しており、図２の分解斜視図に示すような複数の構成部品を、図３の組立斜視図に示すように組み立てている。装置本体の福家４０に取付けられるＬＥＤヘッド１５は、ＬＥＤ本体３０、保持枠部材３３、被押圧板４２および、これらを組立るための各機能部品としてのねじ３６ｂ、スプリング３８、４３とから構成されている。前記ＬＥＤ本体３０の筐体内に、複数のＬＥＤ素子を配列した基板が収容されており、そのＬＥＤ素子の発光面側に、光出力部としてのセルフォックレンズ３１が、ＬＥＤ本体３０に筐体の下端面よりも突出して固定されている。前記セルフォックレンズ３１の端部が、感光体ドラム１１の表面に対して、約８〜１０ｍｍの間隔を持たせるように位置決めされた状態で、感光体ドラム１１の表面に向けて、画像情報に応じた光信号が出力されてドット状に書き込まれる。
【００２４】
図４および図５に示すように、ＬＥＤ本体３０の筐体の長手方向両側壁に、外側に突出する突部材３２が形成されている。前記ＬＥＤ本体３０は、その周囲と上部とがフレーム４０と保持枠部材３３等により囲まれた状態で、前記突部材３２を保持枠部材３３の両側板３４に穿設したガイド孔３５にはめ込んで、このガイド孔３５の長手方向（図５の上下方向）に摺動自在に保持枠部材３３に保持されている。前記保持枠部材３３の天板３３ａの長手方向両端から上突部材３７が上側に突出されており、この上突部材３７の内部に図示を省略する円柱状の凹所が形成されている。前記上突部材３７の凹所内に圧縮コイルバネ３８が介挿され、この圧縮コイルバネ３８はＬＥＤ本体３０の筐体の上面を押圧する。そして、前記ガイド孔３５を画定する下面に、ＬＥＤ本体３０の突部材３２の下面が当接し、ＬＥＤ本体３０の保持枠部材３３に対する位置決めがなされる。
【００２５】
前記保持枠部材３３に保持されたＬＥＤ本体３０は、装置本体のフレーム４０と感光体ドラム１１の間に配置され、装置本体のフレーム４０に近接・離間する方向（感光体ドラム１１の表面に対して離間・近接する方向）に変位させることができる。前記フレーム４０は板状の部材であって、その長手方向両端に孔４１ａが穿設され、これらの孔４１ａに保持枠部材３３の天板３３ａに対して、その長手方向両端部に形成されている円柱状のガイドロッド３６が挿通される。前記フレーム４０の上側には長い板状の被押圧板４２が配置され、ガイドロッド３６が孔４１ａに挿通された状態で、被押圧板４２の長手方向端部とガイドロッド３６とをネジ部材３６ｂで締結することで、前記被押圧板４２と保持枠部材３３とが固定される。このように、被押圧板４２と保持枠部材３３とを組み付けることによって、保持枠部材３３に保持されたＬＥＤ本体３０は、フレーム４０に対して被押圧板４２と一体的に、感光体ドラム１１に離間・近接する方向に移動可能となる。
【００２６】
また、前記フレーム４０の上面には、孔４１ａの内側寄りの位置に、上側に開口した凹部４１ｂが形成され、前記被押圧板４２の下面には、両端よりも内側寄りの位置に、下側に開口する凹部（図示を省略）が形成されている。そして、前記ＬＥＤ本体３０、保持枠部材３３および被押圧板４２からなるＬＥＤヘッド１５を、フレーム４０に取付けた状態では、フレーム４０の凹部４１ｂと被押圧板４２の凹部とが対向し、圧縮コイルバネ４３の一端がフレーム４０の凹部４１ｂに嵌め込まれ、他端が被押圧板４２の凹部に嵌め込まれている。前記圧縮コイルバネ４３は、被押圧板４２をフレーム４０から離間させる方向に常に付勢している部材である。
【００２７】
前述したように構成されていることから、被押圧板４２に締結された保持枠部材３３に対して、ＬＥＤ本体３０が保持されており、前記ＬＥＤ本体３０がフレーム４０に近接する方向に、常に付勢されていることになる。したがって、被押圧板４２に外力が作用していない状態では、圧縮コイルバネ４３のバネ力によって、被押圧板４２がフレーム４０から離間した位置、つまり、保持枠部材３３およびＬＥＤ本体３０がフレーム４０に近接し、かつ、感光体ドラム１１から離間した位置に移動することになるのである。そして、そのままの状態で、ＬＥＤ本体３０がフレーム４０側に移動すると、保持枠部材３３の上突部材３７がフレーム４０に突き当たって、それ以上の移動されることが阻止されることになる。しかしながら、前記上突部材３７を逃がすための貫通孔４１が、前記フレーム４０には穿設されているため、感光体ドラム１１の表面に対して、ＬＥＤ本体３０をできるだけ離間させることができる。
【００２８】
そして、前記ＬＥＤヘッド１５が、詳しくは被押圧板４２が押圧されると、ＬＥＤヘッド１５は圧縮コイルバネ４３の力に抗って感光体ドラム１１の表面に近接する。この被押圧板４２を押圧する押圧手段５０は、装置本体の側部に開閉可能に設けているサイドドア２４が開かれた状態では、被押圧板４２を押圧せず、サイドドア２４が閉じられた状態で被押圧板４２を押圧するように構成されている。つまり、感光体ドラム１１または現像器７を取り外すために、前記フロントカバー６０を開いた状態においては、被押圧板４２に力が付与されないため、圧縮コイルバネ４３のバネ力によって、ＬＥＤヘッド１５が感光体ドラム１１から離間している。したがって、感光体ドラム１１を装置本体から取り外す際に、トナーが舞い散ったとしても、ＬＥＤヘッド３０は感光体ドラム１１および現像器７から離れた位置に退避しているため、そのれレンズ面がトナーによって汚染されることを押さえることができる。他方、感光体ドラム１１を装着し、サイドドア２４を閉じた状態においては、被押圧板４２日からが付与されるために、ＬＥＤヘッド１５は圧縮コイルバネ４３のバネ力に抗して、感光体ドラム１１に接近している。
【００２９】
前述したような作用を奏する押圧手段５０においては、図６〜９に示すように、装置本体のフレーム４０の上面から立設する一対のブラケット４７に、シャフト４６が自軸回りに回転可能に支持され、このシャフト４６に対して、所定の間隔を介して２つの押圧レバー４５が固定保持されている。そして、前記シャフト４６の長手方向端部（装置本体のフロント側）に、扇形状の第２カム５５が、そのカム面を上に向けてた状態で固定されている。さらに、前記第２カム５５のワイヤ５２接続側と同じ側に、押圧レバー４５を被押圧板４２に作用しない位置に戻す方向に付勢力を与えるため、引っ張りコイルバネ５６の一端が固定されており、前記コイルバネ５６の他端はフレーム４０に固定されている。なお、このコイルバネ５６に代えて、シャフト４６にねじりバネを巻挿して、前記引っ張りバネと同じ作用を奏するように構成しても良い。
【００３０】
前述したように構成することによって、ワイヤ５２が緊張していない状態、つまり、ワイヤ５２が第２カム５５をＬＥＤヘッド１５に近付く側（図６において時計回り方向）に引き寄せられていない状態では、第２カム５５がコイルバネ５６のバネ力によって、図６の仮想線で示す位置まで角変位する。それによって、押圧レバー４５が図６に示す実線の位置から仮想線で示す位置まで移動するので、ＬＥＤヘッド１５がバネ４３のバネ力によって、感光体ドラム１１から離間する。これに対して、前記ワイヤ５２が緊張されると、第２カム５５を前記ワイヤ５２が引き寄せるので、第２カム５５がコイルバネ５６のバネ力に抗って、図６の実線で示す押圧位置に移動され、ＬＥＤヘッド１５が、感光体ドラム１１に近接されて、書き込み可能な状態に設定される。
【００３１】
前記画像形成装置１においては、図８の断面図に示すように、サイドドア２４を閉じた状態（実線で示す）で、ワイヤ５２が緊張するように、そして、図９に説明するように、サイドドア２４を開いた状態でワイヤ５２が緩むように、構成された張力付与手段を設けている。前記張力付与手段は、装置本体のフロント側のフレームに取付けられた２つの中間のプーリ５３、５４と、装置本体のフロント側のフレームのサイドドア２４寄りの位置に、水平軸線まわりに回転自在に取付けられた第１カム５１とによって構成されており、この第１カム５１はそのカム面が感光体ドラム１１に臨むように配置されている。
【００３２】
前記装置においては、一端が第２カム５５に固定されたワイヤ５２が、２つの中間プーリ５３、５４の上側に張架され、前記ワイヤ５２の他端は第１カム５１の一方の非カム面側に固定されている。この第１カム５１は、水平軸回りに角変位するよう、サイドドア２４に取り付けられており、前記サイドドア２４をヒンジ２４ａを介して閉じる方向に揺動させる動作に連動して、前記第１カム５１は水平軸回りに、そのカム面が下向きに移動するように角変位する。
【００３３】
前述したように、第１カム５１のカム面が下向きに移動すると、そのカム面に沿ってワイヤ５２が押さえつけられるので、前記ワイヤ５２が緊張し、第２カム５５がワイヤ５２により引き寄せられる。その動作により、押圧レバー４５が図６に実線で示す位置まで移動し、この押圧レバー４５が被押圧板４２を押圧して、ＬＥＤヘッド１５が感光体ドラム１１に近接する。したがって、前記サイドドア２４を閉じることによって、感光体ドラム１１に対して転写ローラ１４が圧接されたときに、ＬＥＤヘッド１５も感光体ドラム１１に近接した位置に配置されることになる。
【００３４】
また、前記サイドドア２４をヒンジ回りに開く動作に連動して、第１カム５１が水平軸回りに角変位し、そのカム面が上向きになるよう移動する。このように、第１カム面が上向きに移動すると、ワイヤ５２がカム面によって押さえ付けられなくなり、ワイヤ５２が緩められる。それによって、第２カム５５がコイルバネ５６の力によって、図６に示す仮想線位置にまで移動され、押圧レバー４５が図６の被押圧位置に移動する。そして、前述したように、コイルバネ４３のバネ力によって、ＬＥＤヘッド１５は感光体ドラム１１から離間する。前述したように、サイドドア２４を開いたことにより、感光体ドラム１１に対して転写ローラ１４の圧接状態が解除されたときに、ＬＥＤヘッド１５も感光体ドラム１１の表面から離間した状態におかれる。したがって、この状態で、感光体ドラム１１を取り外したとしても、舞い散ったトナーによって、ＬＥＤヘッド１５のレンズ面が汚されることもなく、また、感光体ドラム１１の表面に傷がついたり、転写ローラ１４が摩耗することもない。
【００３５】
なお、前記ＬＥＤヘッド１５へ外力を付与する作用を行う押圧手段５０としては、本実施例に開示しているような画像形成装置１の構成に限定されるものではなく、例えば、ワイヤ５２が巻きかけられるプーリ５３、５４の配置位置や、掛け渡し経路等は、その画像形成装置の記録部の構造に応じて変更することが可能である。また、図１０に示す例において、装置本体のフロントカバー６０には、その開閉状態の検知のために、リブ６２等が配置されるが、その部材の構成およびその他の部材の構成に関しては、特に本願に関連することはないので、その説明は省略している。
【図面の簡単な説明】
【００３６】
【図１】画像形成装置の構成を示す説明図である。
【図２】ＬＥＤヘッドの分解斜視図である。
【図３】ＬＥＤヘッドの組立斜視図である。
【図４】ＬＥＤヘッドの側面図である。
【図５】ＬＥＤヘッドを発光面側から見た斜視図である。
【図６】押圧手段の作用部の側面図である。
【図７】押圧手段の作用部の平面図である。
【図８】ＬＥＤヘッドの連動機構の構成を示す説明図である。
【図９】画像形成装置のサイドドアを開いた状態の説明図である。
【図１０】画像形成装置の斜視図である。
【符号の説明】
【００３７】
１    画像形成装置、  ２    給紙トレイ、  ３    給紙ローラ、  ４    用紙搬送路、  ５    レジストローラ装置、  ７    現像器ユニット、  ８    パドル、  ９    現像ローラ、  １０    記録部、  １１    感光体ドラム、  １２    クリーニング装置、  １３    帯電器、  １４    転写ローラ、  １５    書込み装置、  １６    定着装置、  １７    排出ローラ装置、  １８    排出トレイ、  ２０    戻し路、  ２１    ゲート、  ２２    搬送ローラ装置、  ２３    中間体、  ２４    側板、  ２５    手差しトレイ、  ２６    給紙ローラ、  ３０    ＬＥＤヘッド、  ３１    光出力部、  ３２    側突部、  ３３    保持枠、  ３４    側板、  ３５    ガイド溝、  ３６    上突部材、  ４０    上枠、  ４２    押し板、  ４３    スプリング、  ４５    押圧レバー、  ４６    シャフト、  ４７    ブラケット、  ４８    動作レバー、  ４９    ワイヤ、  ５１    動作アーム、  ５２    支軸、  ５３    作用部、  ５４    ガイド部材、  ５５    ガイド溝、  ５９    ガイドプーリ、  ６０    フロントカバー、  ６２    リブ。
【図１】
2006018128.tif 000003
【図２】
2006018128.tif 000004
【図３】
2006018128.tif 000005
【図４】
2006018128.tif 000006
【図５】
2006018128.tif 000007
【図６】
2006018128.tif 000008
【図７】
2006018128.tif 000009
【図８】
2006018128.tif 000010
【図９】
2006018128.tif 000011
【図１０】
2006018128.tif 000012
【手続補正書】
【提出日】平成16年9月7日(2004.9.7)
【手続補正１】
【補正対象書類名】特許請求の範囲
【補正対象項目名】全文
【補正方法】変更
【補正の内容】
【特許請求の範囲】
【請求項１】
一様に帯電された感光体ドラムの表面に、画像の光を照射して静電潜像を形成するためにＬＥＤヘッドを用い、前記静電潜像をトナーで現像したトナー画像を用紙に転写するための転写手段を感光体ドラムに圧接してなる画像形成装置であって、
前記画像形成装置の装置本体の側面に開閉自在に取付けられ、前記転写手段を支持するためのサイドドアと、
前記サイドドアを開閉する動作に連動させて、前記ＬＥＤヘッドの前記感光体ドラムに対する間隔を変化させる連動手段と、を設けたことを特徴とする画像形成装置。
【請求項２】
前記サイドドアを開く動作に連動して前記ＬＥＤヘッドを感光体ドラムから離間させ、サイドドアを閉じる動作に連動して、前記ＬＥＤヘッドを感光体ドラムに近接させることを特徴とする請求項１に記載の画像形成装置。
【請求項３】
前記感光体ドラムは、その軸方向に沿って装置本体から取り外し可能に構成されるものであって、前記サイドドアを開いて、前記転写手段と感光体ドラムとの圧接状態が解除された状態においてのみ、前記感光体ドラムを装置本体から取り外しできることを特徴とする請求項１または２に記載の画像形成装置。
【請求項４】
前記サイドドアを開閉する動作と、ＬＥＤヘッドを感光体ドラムに対して近接および離間させる動作を連動させる手段はワイヤであることを特徴とする請求項１ないし３のいずれかに記載の画像形成装置。
【手続補正２】
【補正対象書類名】明細書
【補正対象項目名】０００５
【補正方法】変更
【補正の内容】
【０００５】
本発明は、一様に帯電された感光体ドラムの表面に、画像の光を照射して静電潜像を形成するためにＬＥＤヘッドを用い、前記静電潜像をトナーで現像したトナー画像を用紙に転写するための転写手段を感光体ドラムに圧接してなる画像形成装置に関する。
請求項１の発明は、前記画像形成装置の装置本体の側面に開閉自在に取付けられ、前記転写手段を支持するためのサイドドアと、前記サイドドアを開閉する動作に連動させて、前記ＬＥＤヘッドの前記感光体ドラムに対する間隔を変化させる連動手段と、を設けたことを特徴とする。